(57)【要約】【課題】光軸に対して挿脱可能な光学フィルタを備え、レンズユニットを高精度に位置決め可能なレンズ鏡筒を提供する。【解決手段】レンズ鏡筒は、第一レンズを保持する第一レンズ移動枠を光軸方向に案内する複数の第一ガイド部材と、第二レンズを保持する第二レンズ移動枠を光軸方向に案内する複数の第二ガイド部材と、光学フィルタを保持し、光学フィルタを光軸に対して挿脱可能に移動する光学フィルタ保持枠と、光学フィルタ保持枠よりも第一レンズ移動枠及び第二レンズ移動枠の側に配置され、複数の第一ガイド部材及び複数の第二ガイド部材のうち少なくとも一つのガイド部材を保持する保持部を備えたフィルタ押え部材と、光学フィルタ保持枠よりも撮像素子の側に配置され、撮像素子を保持する撮像素子保持枠とを有し、フィルタ押え部材の保持部は、光軸方向から見たとき、光学フィルタの移動範囲に重なるように配置されている。【選択図】図８
2012093560.tif 000002
【特許請求の範囲】
【請求項１】
第一レンズを保持する第一レンズ移動枠を光軸方向に案内する複数の第一ガイド部材と、
第二レンズを保持する第二レンズ移動枠を光軸方向に案内する複数の第二ガイド部材と、
光学フィルタを保持し、該光学フィルタを光軸に対して挿脱可能に移動する光学フィルタ保持枠と、
前記光学フィルタ保持枠よりも前記第一レンズ移動枠及び前記第二レンズ移動枠の側に配置され、前記複数の第一ガイド部材及び前記複数の第二ガイド部材のうち少なくとも一つのガイド部材を保持する保持部を備えたフィルタ押え部材と、
前記光学フィルタ保持枠よりも撮像素子の側に配置され、該撮像素子を保持する撮像素子保持枠と、を有し、
前記フィルタ押え部材の前記保持部は、前記光軸方向から見たとき、前記光学フィルタ保持枠の移動範囲に重なるように配置されていることを特徴とするレンズ鏡筒。
【請求項２】
前記少なくとも一つのガイド部材は、前記第二レンズ移動枠の回転止めの機能を有するガイド部材であることを特徴とする請求項１に記載のレンズ鏡筒。
【請求項３】
前記光学フィルタ保持枠は、前記光学フィルタが前記光軸に挿入された挿入状態と、該光学フィルタが該光軸から脱出した脱出状態のいずれかの状態になるように移動し、
前記フィルタ押え部材の前記保持部は、前記光学フィルタが前記脱出状態にあるとき、前記光学フィルタ保持枠と重なっていることを特徴とする請求項１又は２に記載のレンズ鏡筒。
【請求項４】
前記複数の第一ガイド部材及び前記複数の第二ガイド部材のうち、前記少なくとも一つのガイド部材を除いた他のガイド部材は、前記撮像素子保持枠に保持されていることを特徴とする請求項１乃至３のいずれか１項に記載のレンズ鏡筒。
【請求項５】
請求項１乃至４のいずれか１項に記載のレンズ鏡筒を備えたことを特徴とする光学機器。
【発明の詳細な説明】
【技術分野】
【０００１】
本発明は、挿脱可能な光学フィルタを備えたレンズ鏡筒及び光学機器に関する。
【背景技術】
【０００２】
従来から、ＩＲカットフィルタ（光学フィルタ）が挿脱可能に構成され、赤外光を取り込むことで夜間撮影を可能とするナイトモードに対応したビデオカメラやデジタルカメラ等の光学機器が知られている。このような光学機器におけるレンズ鏡筒は、一般的に、レンズ群の最後部に配置されたレンズと撮像素子との間にＩＲカットフィルタを配置し、その位置にＩＲカットフィルタの挿脱機構を設けて構成される。特許文献１には、レンズ群の最後部レンズであるフォーカスレンズの移動鏡筒（フォーカスレンズ移動鏡筒）をガイドするガイドバーを後部鏡筒に保持し、その後部鏡筒と撮像素子保持枠との間にＩＲカットフィルタの挿脱機構を配置した構成が開示されている。
【先行技術文献】
【特許文献】
【０００３】
【特許文献１】特開２０１０−８８０１号公報
【発明の概要】
【発明が解決しようとする課題】
【０００４】
しかしながら、特許文献１では、撮像素子保持枠と、フォーカスレンズ移動鏡筒のガイドバーが保持された後部鏡筒は別部品で構成され、レンズ群は撮像素子に対して高精度に位置決めを行うことが困難である。このため、撮像素子保持枠にガイドバーを保持するような構成を採用することが望ましい。しかし、撮像素子保持枠とフォーカスレンズとの間にはＩＲカットフィルタの挿脱機構が配置されているため、ガイドバーはＩＲカットフィルタを避けて配置しなければならない。また、可動群が多い場合には、ガイドバーの配置の自由度が制限されてしまう。
【０００５】
そこで本発明は、光軸に対して挿脱可能な光学フィルタを備え、レンズ群を高精度に位置決め可能なレンズ鏡筒及び光学機器を提供する。
【課題を解決するための手段】
【０００６】
本発明の一側面としてのレンズ鏡筒は、第一レンズを保持する第一レンズ移動枠を光軸方向に案内する複数の第一ガイド部材と、第二レンズを保持する第二レンズ移動枠を光軸方向に案内する複数の第二ガイド部材と、光学フィルタを保持し、該光学フィルタを光軸に対して挿脱可能に移動する光学フィルタ保持枠と、前記光学フィルタ保持枠よりも前記第一レンズ移動枠及び前記第二レンズ移動枠の側に配置され、前記複数の第一ガイド部材及び前記複数の第二ガイド部材のうち少なくとも一つのガイド部材を保持する保持部を備えたフィルタ押え部材と、前記光学フィルタ保持枠よりも撮像素子の側に配置され、該撮像素子を保持する撮像素子保持枠とを有し、前記フィルタ押え部材の前記保持部は、前記光軸方向から見たとき、前記光学フィルタの移動範囲に重なるように配置されている。
【０００７】
本発明の他の側面としての光学機器は、前記レンズ鏡筒を備えた光学機器である。
【０００８】
本発明の他の目的及び特徴は、以下の実施例において説明される。
【発明の効果】
【０００９】
本発明によれば、光軸に対して挿脱可能な光学フィルタを備え、レンズ群を高精度に位置決め可能なレンズ鏡筒及び光学機器を提供することができる。
【図面の簡単な説明】
【００１０】
【図１】本実施例における光学機器（カメラ）の斜視図である。
【図２】本実施例におけるレンズ鏡筒の構成図であり、（ａ）Ｘ−Ｚ面断面図、（ｂ）Ｘ−Ｙ面断面図である。
【図３】本実施例におけるレンズ鏡筒の組立斜視図である。
【図４】本実施例のレンズ鏡筒において、フィルタ切替ユニット及び４本のガイドバーを示す組立斜視図である。
【図５】本実施例のレンズ鏡筒において、図４と同じ構成を被写体側から見た図である。
【図６】本実施例のレンズ鏡筒において、フィルタ切替ユニット、４本のガイドバー、及び、フォーカス移動枠を示す組立斜視図である。
【図７】本実施例のレンズ鏡筒において、フィルタ切替ユニット、４本のガイドバー、フォーカス移動枠、及び、シフトユニットを示す組立斜視図である。
【図８】本実施例のレンズ鏡筒において、フィルタ切替ユニットからフィルタ押え部材を取り除いた状態で、４本のガイドバーの位置関係を示す図であり、（ａ）ＩＲカットフィルタ挿入状態、（ｂ）ＩＲカットフィルタ脱出（退避）状態を示す。
【図９】本実施例における光学機器のブロック図である。
【発明を実施するための形態】
【００１１】
以下、本発明の実施例について、図面を参照しながら詳細に説明する。各図において、同一の部材については同一の参照番号を付し、重複する説明は省略する。
【００１２】
まず、図１乃至図３を参照して、本発明の実施例におけるレンズ鏡筒及び光学機器（カメラ）の構成について説明する。図１は、本実施例における光学機器（ビデオカメラ）の斜視図である。図２は、本実施例におけるレンズ構成図であり、（ａ）Ｘ−Ｚ面断面図、及び、（ｂ）Ｘ−Ｙ面断面図を示す。図３は、本実施例におけるレンズ鏡筒を示す組立斜視図である。なお、本実施例のレンズ鏡筒はビデオカメラ等の撮影装置に用いられるものであるが、これに限定されるものではなく、他の光学機器にも適して用いられる。
【００１３】
図１に示されるように、本実施例の光学機器は、カメラ本体ＢとレンズＬとを備えて構成される。図２乃至図３において、Ｌ１は第１レンズユニット、Ｌ２は撮影光学系の光軸方向に移動して変倍作用を行う第２レンズユニットである。Ｌ３は撮影光学系の光軸に対して直交する方向（以下、「光軸直交方向」という）にシフトして像振れを低減し、かつ、撮影光学系の光軸方向に移動可能な第３レンズユニットである。Ｌ４は撮影光学系の光軸方向に移動して焦点調節作用を行う第４レンズユニットである。このように、レンズ鏡筒１は、第１〜第４レンズユニットＬ１〜Ｌ４の４群レンズを備えて構成される。
【００１４】
２は第１レンズユニットＬ１を保持する第１レンズ枠であり、３は第２レンズユニットＬ２を保持するバリエータ移動枠である。４は第３レンズユニットＬ３を保持するシフトユニットであり、５は第４レンズユニットＬ４を保持するフォーカス移動枠である。６は固定鏡筒であり、７は後部鏡筒である。固定鏡筒６は、第１レンズユニットＬ１を所定位置に固定するため、その後端が後部鏡筒７に結合し、その前端が第１レンズ枠２と固定されている。８は、ナイトモードとデイモードとの切換を行うＩＲカットフィルタ切替機構（光学フィルタ切替機構）を備えたフィルタ切替ユニットである。
【００１５】
９ａ、９ｂは、固定鏡筒６と後部鏡筒７とにより両端が保持されたガイドバーである。また、ガイドバー１０ａ、１０ｂ（図４乃至図８参照）と、ガイドバー１１ａ、１１ｂは、それぞれ、後部鏡筒７とフィルタ切替ユニット８により両端が保持されている。
【００１６】
バリエータ移動枠３は、ガイドバー９ａ、９ｂにより、撮影光学系の光軸方向に移動可能に支持されている。シフトユニット４は、ガイドバー１０ａ、１０ｂにより、撮影光学系の光軸方向に移動可能に支持され、後部鏡筒７に固定されている。１２は、撮影光学系に入射した光量を変化させる光量調節ユニットであり、後部鏡筒７に固定されている。光量調節ユニット１２は、２枚以上の絞り羽根を光軸直交方向に移動させて開口径を変化させる。また、光量調節ユニット１２には、図示しないグラデーションＮＤフィルタが絞り羽根とは独立して光路に対して進退可能に構成されている。フォーカス移動枠５は、ガイドバー１１ａ、１１ｂにより、撮影光学系の光軸方向に移動可能に支持されている。
【００１７】
１３は、バリエータ移動枠３を撮影光学系の光軸方向に駆動するステッピングモータである。ステッピングモータ１３の出力軸には、リードスクリュー１４が形成されている。ステッピングモータ１３は、後部鏡筒７に固定される。リードスクリュー１４には、バリエータ移動枠３に取り付けられたラック１５が噛み合っている。このため、ステッピングモータ１３に通電されてリードスクリュー１４が回転すると、バリエータ移動枠３が撮影光学系の光軸方向に駆動される。
【００１８】
１６は、バリエータ移動枠３の基準位置を検出するためのズームリセットである。ズームリセット１６は、バリエータ移動枠３に形成された遮光部の光軸方向への移動による遮光状態と透光状態の切り替わりを検出するフォトインタラプタにより構成されている。ズームリセット１６は、基板を介して後部鏡筒７に固定されている。またバリエータ移動枠３は、光軸方向に多極着磁されたセンサマグネット１７を保持し、後部鏡筒７におけるセンサマグネット１７に対向した位置には、センサマグネット１７の移動に伴う磁力線の変化を読み取るＭＲセンサ１８が固定されている。ＭＲセンサ１８からの信号を用いることで、バリエータ移動枠３すなわち第２レンズユニットＬ２の所定の基準位置からの移動量を検出することができる。
【００１９】
１９は、シフトユニット４を光軸方向に駆動するステッピングモータである。ステッピングモータ１９の出力軸には、リードスクリュー２０が形成されている。ステッピングモータ１９は後部鏡筒７に固定される。リードスクリュー２０には、シフトユニット４に取り付けられたシフトラック（不図示）が噛み合っている。このため、ステッピングモータ１９に通電されてリードスクリュー２０が回転すると、シフトユニット４は光軸方向に駆動される。
【００２０】
２１は、シフトユニット４の基準位置を検出するためのズームリセットである。ズームリセット２１は、シフトユニット４に形成された遮光部の光軸方向への移動による遮光状態と透光状態の切り替わりを検出するフォトインタラプタにより構成されている。ズームリセット２１は、基板を介して後部鏡筒７に固定されている。更に、フォトインタラプタにより構成されているズームリセット２１と、遮光部の遮光状態と透光状態の切り替わりは、シフトユニット４の移動範囲内であり、且つ、フォーカス移動枠５の移動範囲外にあるときに検出されるように設定される。
【００２１】
２２は、第３レンズユニットＬ３を保持するシフト保持枠である。シフト保持枠２２には、２体化されたシフト駆動マグネット２３と、マグネットの磁路を閉じるための第１ヨーク２４が保持されている。２５は、シフトユニット４のベース部材としてのシフトベースである。シフトベース２５には、シフトコイル２６と、前述のシフト駆動マグネット２３の磁路を閉じるための第２ヨーク２７が保持されている。シフトコイル２６を通電すると、シフト駆動マグネット２３に駆動力が発生し、第３レンズユニットＬ３がシフト保持枠２２に対して相対的に撮影光学系の光軸と直交する方向に駆動される。
【００２２】
シフト駆動マグネット２３、第１ヨーク２４、第２ヨーク２７、及び、シフトコイル２６はそれぞれ２セットあり、これらはシフト駆動アクチュエータ部を構成する。図２において、撮影光学系の光軸中心に対して−Ｚ方向にはピッチ方向駆動用のシフト駆動アクチュエータ部が設けられ、Ｙ方向にはヨー駆動用のシフト駆動アクチュエータ部が設けられている。このように、シフト駆動ユニットが２セット設けられているため、撮影光学系の光軸と垂直な平面内のいずれの方向にも、第３レンズユニットＬ３を駆動させることができる。
【００２３】
また、シフトコイル２６は、シフトフレキ２８と半田付けされて電気的に導通可能に構成されている。シフトフレキ２８は、後部鏡筒７に設けられた止め部（不図示）に固定されるとともに、レンズ鏡筒の内部に設けられたＵターン形状部２８ａを介して、シフトユニット４と繋がっている。Ｕターン形状部２８ａは、シフトユニット４が光軸方向に移動する際に、シフトフレキ２８の反力がシフトユニット４に加わらないような形状となっている。
【００２４】
２９、３０、３１は、それぞれ、第４レンズユニットＬ４を光軸方向に駆動するフォーカスモータ（ボイスコイルモータ）を構成する駆動コイル、ドライブマグネット、及び、磁束を閉じるためのヨーク部材である。駆動コイル２９は、フォーカス移動枠５に取り付けられている。ドライブマグネット３０は、ヨーク部材３１内に設けられており、ヨーク部材３１は、フィルタ切替ユニット８に取り付けられている。ここで、駆動コイル２９に電流を流すと、ドライブマグネット３０と駆動コイル２９との間に発生する磁力線相互の反発によるローレンツ力が発生し、フォーカス移動枠５とともに第４レンズユニットＬ４が光軸方向に駆動される。
【００２５】
またフォーカス移動枠５は、光軸方向に多極着磁されたセンサマグネット３２を保持し、後部鏡筒７におけるセンサマグネット３２に対向した位置には、センサマグネット３２の移動に伴う磁力線の変化を読み取るＭＲセンサ３３が固定されている。ＭＲセンサ３３からの信号を用いることで、フォーカス移動枠５すなわち第４レンズユニットＬ４の所定の基準位置からの移動量を検出することができる。フォーカス移動枠５は、コイルに通電されて、被写体側すなわち光軸と平行な−Ｘ方向に移動し、メカニカル端に当接した状態を基準位置として検出する。
【００２６】
駆動コイル２９は、フォーカスフレキ３４に半田付けされて電気的に導通可能に構成されている。フォーカスフレキ３４は、後部鏡筒７に設けられた止め部（不図示）に固定されるとともに、レンズ鏡筒の内部に設けられたＵターン形状３４ａを介して、フォーカス移動枠５に固定された駆動コイル２９と繋がっている。
【００２７】
次に、図４乃至図７を参照して、レンズ鏡筒の要部であるシフトユニット４、シフトユニット４をガイドする２本のガイドバー、フォーカス移動枠５、フォーカス移動枠５をガイドする２本のガイドバー、及び、フィルタ切替ユニット８の構成について詳述する。図４はフィルタ切替ユニット８及び４本のガイドバーを示す組立斜視図であり、図５は図４と同じ構成を被写体側から見た組立構成図である。図６は、フィルタ切替ユニット、４本のガイドバー、及び、フォーカス移動枠５を示す組立構成図である。図７は、フィルタ切替ユニット、４本のガイドバー、フォーカス移動枠５、及び、シフトユニット４を示す組立構成図である。
【００２８】
ＣＣＤホルダー８ａ（撮像素子保持枠）は、後述のＩＲホルダー８ｄよりも撮像素子（不図示）の側に配置され、この撮像素子を保持する部材である。フィルタ押え部材８ｂは、後述のＩＲホルダー８ｄよりもシフトニット４及びフォーカス移動枠５の側に配置され、後述のガイドバー１０ａ、１０ｂ、１１ａ、１１ｂのうち少なくとも一つのガイド部材を保持する保持部８ｈを有する。本実施例では、ガイドバー１１ｂが保持部８ｈにより保持されているが、これに限定されるものではない。フィルタ押え部材８ｂは、ＣＣＤホルダー８ａに３か所のビス８ｃでビス止めされている。フィルタ切替ユニット８は、撮影光学系の光軸方向において、ＣＣＤホルダー８ａとフィルタ押え部材８ｂとの間で、ＩＲカットフィルタ（光学フィルタ）を光軸中心への挿入及び光軸中心からの脱出を可能とするように構成されている。
【００２９】
ガイドバー１０ａ、１０ｂ（複数の第一ガイド部材）は、第３レンズユニットＬ３（第一レンズ）を保持するシフトユニット４（第一レンズ移動枠）を光軸方向に案内する。２本のガイドバー１０ａ、１０ｂのうちガイドバー１０ａは、シフトユニット４の位置決めの機能を有するガイドバーである。一方、ガイドバー１０ｂは、シフトユニット４の回転止めの機能を有するガイドバーである。ガイドバー１０ａ、１０ｂの撮像面側（ＣＣＤ側）の端部は、ともに、ＣＣＤホルダー８ａによって保持されている。
【００３０】
ガイドバー１１ａ、１１ｂ（複数の第二ガイド部材）は、第４レンズユニットＬ４（第二レンズ）を保持するフォーカス移動枠５（第二レンズ移動枠）を光軸方向に案内する。２本のガイドバー１１ａ、１１ｂのうちガイドバー１１ａは、フォーカス移動枠５の位置決めの機能を有するガイドバーである。一方、ガイドバー１１ｂは、フォーカス移動枠５の回転止めの機能を有するガイドバーである。ガイドバー１１ａの撮像面側（ＣＣＤ側）の端部は、ＣＣＤホルダー８ａによって保持されている。一方、ガイドバー１１ｂの撮像面側の端部は、フィルタ押え部材８ｂによって保持されている。
【００３１】
このように、複数のガイドバーのうちガイドバー１１ｂを除いた他のガイドバー１０ａ、１０ｂ、１１ａは、ＣＣＤホルダー８ａに保持され、フィルタ切替ユニット８には合計４本のガイドバー１０ａ、１０ｂ、１１ａ、１１ｂ）が保持されている。撮像素子はＣＣＤホルダー８ａによって保持されているため、撮像素子と各レンズユニット（フォーカス移動枠５、シフトユニット４）との間の相対位置精度を向上させるには、４本全てのガイドバーがＣＣＤホルダー８ａによって保持されることが望ましい。しかしながら、本実施例のように２つのレンズユニット（第３レンズユニットＬ３、第４レンズユニットＬ４）を保持する場合には、４本のガイドバーが必要となる。これら４本全てのガイドバーを、ＩＲカットフィルタの挿脱機構の動作を妨げることなくＣＣＤホルダー８ａに保持させようとすると、十分なスペースの確保が困難であり、ガイドバーのレイアウト上の制約が伴う。
【００３２】
そこで本実施例では、以下のようなＩＲカットフィルタの挿脱機構を採用している。続いて、図８を参照して、ＩＲカットフィルタの挿脱機構について詳述する。図８は、フィルタ切替ユニット８からフィルタ押え部材８ｂを取り除いた状態で、４本のガイドバーの位置関係を示す図である。図８（ａ）はＩＲカットフィルタを撮像光学系の光軸に挿入した状態（ＩＲカットフィルタ挿入状態）を示し、図８（ｂ）はＩＲカットフィルタを撮像光学系の光軸から脱出（退避）させた状態（ＩＲカットフィルタ脱出状態（退避状態））を示している。
【００３３】
図８（ａ）、（ｂ）において、８ｄは、ＩＲカットフィルタ８ｇ（光学フィルタ）を保持し、ＩＲカットフィルタ８ｇを光軸に対して挿脱可能に移動するＩＲホルダー（光学フィルタ保持枠）である。８ｆは、ＩＲカットフィルタ８ｇを光軸に挿入するか脱出させるか（ＩＲカットフィルタ挿入状態と脱出状態）を切り替える切替レバーである。切替レバー８ｆの操作により、ＩＲホルダー８ｄは、ＩＲカットフィルタ８ｇが光軸に挿入された挿入状態と、ＩＲカットフィルタ８ｇが光軸から脱出した脱出状態のいずれかの状態になるように移動する。８ｅは、ＩＲカットフィルタ８ｇが挿入状態又は脱出状態のいずれであるかを検知するフォトインタラプタである。
【００３４】
図８（ｂ）に示されるようにＩＲホルダー８ｄが脱出状態にある場合、ＩＲホルダー８ｄとガイドバー１１ｂの位置は、光軸方向（図８（ｂ）の紙面直交方向）から見たときに互いに重なっている。すなわち、フィルタ押え部材８ｂの保持部８ｈは、光軸方向から見たとき、ＩＲホルダー８ｄの移動範囲に重なるように配置されている。本実施例において、フィルタ押え部材８ｂの保持部８ｈは、ＩＲカットフィルタ８ｇが脱出状態にあるとき、ＩＲホルダー８ｄと重なっている。ただし、本実施例はこれに限定されるものではなく、ＩＲカットフィルタ８ｇが挿入状態にあるときにＩＲホルダー８ｄと重なるようにしてもよい。
【００３５】
ガイドバー１１ｂの撮像面側の端をＣＣＤホルダー８ａにより保持させようとすると、ガイドバー１１ｂは、ＩＲホルダー８ｄの挿入状態と脱出状態との間の移動範囲から避けた位置に配置されなければならない。そこで本実施例では、ガイドバー１１ｂの撮像素子側の保持部（撮像面側の端）をフィルタ押え部材８ｂにより保持させることで、ガイドバー１１ｂの位置を光軸中心から遠ざけることなく、コンパクトなレンズ鏡筒を構成することができる。
【００３６】
上述のように、ガイドバー１１ａはフォーカス移動枠５の位置決めの機能を有するガイドバーであり、ガイドバー１１ｂはフォーカス移動枠５の回転止めの機能を有するガイドバーである。このようなガイドバー１１ａ、１１ｂのうち、本実施例では回転止めの機能を有するガイドバー１１ｂの方をＩＲホルダー８ｄで保持するように構成されている。位置決め用のガイドバー１１ａの方が、回転止め用のガイドバー１１ｂに比べて、レンズの位置決めに要求される精度は高い。回転止め用のガイドバー１１ｂは、フォーカス移動枠５の回転方向と垂直な方向にはある程度の精度が要求されるだけであるに対し、位置決め用のガイドバー１１ａは、全方向の位置ずれがダイレクトにレンズの位置精度に影響を及ぼす。このため、本実施例のように位置決め用のガイドバー１１ａよりも回転止め用のガイドバー１１ｂの方が、撮像素子を直接保持していない（ＣＣＤホルダー８ａと比べて精度が悪い）ＩＲホルダー８ｄ側に保持される方がより望ましい。
【００３７】
次に、図９を参照して、本実施例におけるレンズ鏡筒を備えた光学機器（カメラ）の動作について説明する。図９は、本実施例における光学機器のブロック図である。図９において、撮影時に被写体からの光がレンズ鏡筒１内の第１〜第４レンズユニットＬ１〜Ｌ４を通って、撮像素子４１に入射する。撮像素子４１に入射した光は光電変換され、カメラ信号処理回路５０に入力される。カメラ信号処理回路５０は、所定の信号処理を行い、デジタル信号として出力する。このデジタル信号は、ＡＦゲート５１を通り、ＡＦ信号処理回路５２にて所定の信号処理を行った後、ＣＰＵ５４に入力される。ＣＰＵ５４は、ズームスイッチ５３の操作に応じて、ＡＦ信号処理回路５２からの入力信号に基づき、駆動コイル２９、及び、ステッピングモータ１３、１９で第２〜第４レンズユニットＬ２〜Ｌ４を光軸方向に移動するように制御する。
【００３８】
以上、本発明の好ましい実施形態について説明したが、本発明はこれらの実施形態に限定されず、その要旨の範囲内で種々の変形及び変更が可能である。
【符号の説明】
【００３９】
１…レンズ鏡筒
４…シフトユニット
５…フォーカス移動枠
８ａ…ＣＣＤホルダー
８ｂ…フィルタ押え部材
８ｄ…ＩＲホルダー
８ｇ…ＩＲカットフィルタ
８ｈ…保持部
１０ａ、１０ｂ、１１ａ、１１ｂ…ガイドバー
【図１】
2012093560.tif 000003
【図２】
2012093560.tif 000004
【図３】
2012093560.tif 000005
【図４】
2012093560.tif 000006
【図５】
2012093560.tif 000007
【図６】
2012093560.tif 000008
【図７】
2012093560.tif 000009
【図８】
2012093560.tif 000010
【図９】
2012093560.tif 000011